(57)【特許請求の範囲】
【請求項１】
最初は第１周波数帯域で搬送される第１信号を、各々が第１周波数帯域の無線装置に関連する複数のエンドポイント装置を有する有線インフラ上で通信する方法であって、
前記複数のエンドポイント装置の内の第１のエンドポイント装置において、
（ａ）前記第１周波数帯域で搬送された第１信号を、有線インフラ上を伝搬する第２周波数帯域で搬送される信号に変換するステップと、
（ｂ）前記第１周波数帯域から前記第２周波数帯域に、また前記第２周波数帯域から前記第１周波数帯域に変換するときに使用される基準信号をパケット・ストリームに入れ込むステップであって、前記基準信号は、前記パケット・ストリームから再生されるものであるステップと、
（ｃ）前記パケット・ストリームと前記変換された第１信号を、前記有線インフラ上に送出するステップと、
前記複数のエンドポイント装置の第２のエンドポイント装置において、
（ｄ）前記基準信号を、前記パケット・ストリームから再生するステップと、
（ｆ）前記第２周波数帯域を介して搬送された第１信号を、前記第１周波数帯域で搬送される信号に変換するために、前記再生された基準信号を使用するステップと、
を有する、
ことを特徴とする有線インフラ上で第１信号を通信する方法。
【請求項２】
第１のローカル・オシレータを、前記第１のエンドポイント装置内で、前記第１信号を変換する際に用い、
第２のローカル・オシレータを、前記第２のエンドポイント装置内で、前記第１信号を変換するのに用い、
前記第１と第２のローカル・オシレータは、前記基準信号で同期している
ことを特徴とする請求項１記載の方法。
【請求項３】
前記パケット・ストリームは、同期したイーサネット（登録商標）・ストリームである
ことを特徴とする請求項１記載の方法。
【請求項４】
受領した「イーサネット」信号で第１のビットレートが用いられ、
前記同期した「イーサネット」・ストリームで第２のビットレートが用いられ、
前記第２のビットレートは、前記第１のビットレートよりも５％以上高い
ことを特徴とする請求項３記載の方法。
【請求項５】
前記パケット・ストリームは、前記第２のエンドポイント装置に搭載された電子回路を管理するデータを含む
ことを特徴とする請求項１記載の方法。
【請求項６】
前記パケット・ストリームは、前記第２のエンドポイント装置に搭載された電子回路の同期化信号を含む
ことを特徴とする請求項１記載の方法。
【請求項７】
前記第１信号の変換されたレプリカは、前記パケット・ストリームのあるフレーム内に、デジタル形式で含まれる
ことを特徴とする請求項１記載の方法。
【請求項８】
前記第１周波数帯域は、ＦＤＭＡ、ＣＤＭＡ、ＴＤＭＡ、ＰＤＭＡの通信方式の内の１つで動作するセルラー周波数帯域である
ことを特徴とする請求項１記載の方法。
【請求項９】
前記第１のエンドポイント装置は、携帯電話の基地局又は中継局に関連するハブ・ユニットであり、
前記第１信号は、ダウンリンク・セルラー信号であり、
前記第２のエンドポイント装置は、携帯電話のエンドユーザの装置と「イーサネット」の宛先に関連するリモート・ユニットである
ことを特徴とする請求項１記載の方法。
【請求項１０】
アップリンク信号が、前記リモート・ユニットからハブ・ユニットに、有線インフラを介して送信され、
前記アップリンク信号は、アップリンクの周波数帯域を介して送信され、
前記アップリンク信号は、
前記リモート・ユニットにおける、
（ｉ）前記基準信号に関連した前記アップリンク周波数帯域を介して搬送された前記アップリンク信号を、前記有線インフラ上を伝搬する、前記基準信号に関連したダウンコンバートされたアップリンク周波数帯域を介して搬送されるようダウンコンバートするステップと、
（ｉｉ）前記ダウンコンバートされたアップリンク信号を、前記有線インフラ上に送出するステップと、
前記ハブ・ユニットにおける、
（ｉｉｉ）前記ダウンコンバートされたアップリンク周波数帯域を介して搬送される前記ダウンコンバートされたアップリンク信号を、前記アップリンク周波数帯域を介して搬送されるようアップコンバートするステップと、
により送信され、
これにより、アップコンバートされたアップリンク信号を、携帯電話の基地局あるいは中継局に提供する
ことを特徴とする請求項９記載の方法。
【請求項１１】
第１周波数帯域で搬送される第１無線信号を「イーサネット」・インフラ上で１つ以上のリモート・ユニットに送信するハブ・ユニットであって、前記ハブ・ユニットと各リモート・ユニットは、第１周波数帯域の無線装置に関連している、ハブ・ユニットにおいて、
（ａ）前記第１周波数帯域で搬送された前記第１無線信号を、「イーサネット」・インフラ上を伝搬する第２周波数帯域で搬送される信号に変換する周波数変換装置と、
（ｂ）基準信号と、前記ハブ・ユニットで受領した「イーサネット」信号とを１つの同期した「イーサネット」・ストリームに組み合わせるパケット同期化装置であって、前記基準信号は、前記１つの同期した「イーサネット」・ストリームから再生可能である、パケット同期化装置と、
を有し、
これにより、前記１つの同期した「イーサネット」・ストリームと前記変換された第１無線信号が「イーサネット」・インフラに与えられ、
リモート・ユニットに到着したときに、前記基準信号は、前記１つの同期した「イーサネット」・ストリームから再生され、
前記第２周波数帯域を介して搬送される前記変換された第１無線信号は、前記第１周波数帯域を介して搬送される信号にシフトされ、
前記シフトされた第１無線信号は、前記第１周波数帯域を介して無線で通信される
ことを特徴とする第１無線信号を「イーサネット」・インフラ上でリモート・ユニットに送信するハブ・ユニット。
【請求項１２】
前記周波数変換装置は、
（ｉ）前記基準信号と同期した信号を生成するローカル・オシレータと、
（ｉｉ）該同期した信号と前記第１無線信号とを受領し、その和の信号と差の信号を複数生成するミキサと、
（ｉｉｉ）前記複数の和の信号と差の信号から適宜の信号を選択するフィルタと、
を有する
ことを特徴とする請求項１１記載のハブ・ユニット。
【請求項１３】
前記ハブ・ユニットは、携帯電話基地局又は中継局と関連し、
前記第１無線信号は、ダウンリンク信号である
ことを特徴とする請求項１１記載のハブ・ユニット。
【請求項１４】
前記１つの同期した「イーサネット」・ストリームのビットレートは、前記受領した「イーサネット」信号のビットレートよりも５％以上高い
ことを特徴とする請求項１２記載のハブ・ユニット。
【請求項１５】
前記パケット同期化装置は、前記第１無線信号のレプリカを、デジタルの形式で、前記１つの同期した「イーサネット」・ストリームのフレーム内に入れる
ことを特徴とする請求項１２記載のハブ・ユニット。
【請求項１６】
「イーサネット」ワイヤリングに関連する通信システムのリモート・ユニットであって、携帯電話のエンドユーザの装置に送信するために、ハブ・ユニットからダウンリンク信号を受領し、前記携帯電話のエンドユーザの装置から受領したアップリンク信号をハブ・ユニットに送るリモート・ユニットにおいて、
前記ハブ・ユニットとリモート・ユニットは、アップリンクとダウンリンクの無線周波数帯域の無線装置に関連し、
前記アップリンク信号は、無線アップリンク周波数帯域を介して最初は送信され、
前記リモート・ユニットは、
（ａ）前記ハブ・ユニットからの同期した「イーサネット」・ストリームを受領し、前記同期した「イーサネット」・ストリームのデータレートに関連する周波数の信号をデジタルフェーズロックループに与えるパケット・オープナと、
（ｂ）前記同期した「イーサネット」・ストリームのデータレートに関連する周波数の信号を受領し、基準信号を抽出するデジタルフェーズロックループと、
（ｃ）前記無線アップリンク周波数帯域を介して搬送されるアップリンク信号を、前記「イーサネット」ワイヤリング上を伝搬できるダウンコンバートされたアップリンク周波数帯域で搬送される信号に変換する周波数変換セクションと、
を有し、
それによって、前記ダウンコンバートされたアップリンク信号は、前記「イーサネット」ワイヤリングに送られ、
前記ハブ・ユニットに到達した時に、前記ダウンコンバートされたアップリンク信号は、前記ダウンコンバートされたアップリンク周波数帯域を介して搬送される信号から、前記アップリンクの周波数帯域を介して搬送される信号に、アップコンバートされ、無線装置に提供される
ことを特徴とする「イーサネット」ワイヤリング上の通信システムのリモート・ユニット。
【請求項１７】
前記ハブ・ユニットは、同期した「イーサネット」・ストリームを与え、前記リモート・ユニットは、更に、
（ｉ）「イーサネット」・パケット・リビルダであって、
（Ａ）前記パケット・オープナから、前記同期した「イーサネット」・ストリームのコンテンツを受領し、
（Ｂ）「イーサネット」の宛先に送信するために、前記コンテンツの少なくとも一部を有する非同期の「イーサネット」信号を生成する、
ための「イーサネット」・パケット・リビルダと、
（ｉｉ）パケット同期化装置であって、
（Ｉ）「イーサネット」ソースから非同期の「イーサネット」信号を受領し、
（ＩＩ）前記非同期の「イーサネット」信号のコンテンツの少なくとも一部を有する同期した「イーサネット」・ストリームを生成する、
ためのパケット同期化装置と、
を含む
ことを特徴とする請求項１６記載のリモート・ユニット。
【請求項１８】
前記パケット同期化装置は、
（Ｉ）他の装置にサービスするデータと、前記リモート・ユニットにある電子回路の状態と動作条件に対する指示と、前記ハブ・ユニットからリモート・ユニットへ送信される制御コマンドと、同期ソースからの同期化データとからなるデータアイテム群から選択されたデータアイテムを受領し、
（ＩＩ）生成された同期した「イーサネット」・ストリーム内に、前記受領したデータアイテムを含める、
ように適合されている
ことを特徴とする請求項１７記載のリモート・ユニット。
【発明の詳細な説明】
【技術分野】
【０００１】
本発明は、ビル（建物）内の無線通信に関し、特に、イーサネット（登録商標）用の有線インフラを介して無線信号を搬送する技術に関する。
【背景技術】
【０００２】
本発明は、イーサネット信号を搬送する既存の有線インフラを用いて、ビル内で無線信号を伝搬する通信システムに関する。セルラー信号（携帯電話用信号）又は他の高周波信号が、銅線例えば電話線イーサネットワイヤリングを介して伝搬するような幾つかのシステムとアプリケーションが存在する。銅線のバンド幅は限られているために、セルラー通信の周波数帯域の高周波信号は、銅線を伝搬すると大きな減衰が起こる。
【０００３】
図１に示す従来技術において、周波数帯域Ｆ1の高周波信号１０２は、ミキサ１０４内で、ローカル発振器１０６からの周波数Ｆ2の信号と混合される。ミキサ１０４からの出力は、Ｆ3＝±Ｆ1±Ｆ2で記述される周波数帯域Ｆ3の複数の信号を含む。ミキサ１０４の出力点にあるフィルタ１０８は、Ｆ3を複数の組合せから選出する。例えばＦ3＝Ｆ2−Ｆ1の信号を選択する。
この周波数帯域内の信号は銅線１０９に与えられ、銅線１０９を介してリモート・ユニットに到達する。このリモート・ユニットも、ミキサ１１２と、ローカル発振器１１４と、帯域フィルタ１１８とを含む。Ｆ3の信号は、ミキサ１１２内で、ローカル発振器１１４により生成された周波数Ｆ5の信号と混合される。ミキサ１１２の出力点にあるローカル発振器１１８は、必要な周波数帯域例えばＦ6＝Ｆ5−Ｆ3を選択する。
Ｆ6の信号がＦ1の信号の正確なレプリカであるためには、Ｆ5はＦ2と同一の周波数でなければならない。即ちローカル発振器１０６と１１４は、同一周波数にロックしなければならない。この為、基準信号は、ハブ・ユニットにあるローカル発振器に与えられ、そして、その信号は、リモート・ユニットにあるローカル発振器に送信され、それを同一周波数にロックする。
図１の実施例においては、基準信号生成器１２０は、ハブ・ユニットのローカル発振器１０６を同期させる。専用のリソース例えば実際のケーブル１２２あるいはケーブル１０９内の専用帯域を用いて、ハブ・ユニット内の基準信号生成器１２０からの信号をリモート・ユニットに送信する。特許文献１は、ハブ・ユニットとリモート・ユニットとの間で「中間周波数」の「基準トーン」を転送することを提案しており、これは銅線を通るには十分に低い周波数である。
【先行技術文献】
【特許文献】
【０００４】
【特許文献１】米国特許第６，１５７，８１０号明細書
【０００５】
特別な周波数帯域を基準信号専用にするような従来のアプローチは、銅線の限られた周波数帯域内で専用の周波数帯域を必要とし、更に鋭い帯域通過フィルタ、ミキサの様な高価なハードウエアを用いて、他の信号から基準信号を取り出す必要がある。更に基準信号を、ケーブルを用いて送信することは、更なる大きな干渉がある。これにより、通信チャネルをブロックしたり品質を低下させたりする。
【０００６】
この様なシステムにおいては、ハブ・ユニットとリモート・ユニットは、管理データを交換する。この管理データは、リモート・ユニット内の電子回路の状態と動作条件に関する指示を含む。このデータは、リモート・ユニットで生成され、ハブ・ユニットに送られる。管理データは、ハブ・ユニットからリモート・ユニットへ送られる制御メッセージを含み、その電子回路を制御する。他の同期信号、例えばＴＤＤ（Time Division Duplexing）リピータの送信状態と受信状態を同期化する信号は、ハブ・ユニットとリモート・ユニットとの間で送信する必要がある。
【発明の概要】
【発明が解決しようとする課題】
【０００７】
周波数帯域と電子構成要素と電子回路を節約し、基準信号と管理データと同期化信号に専用の周波数帯域の必要性をなくすために、本発明の目的は、基準信号と追加的データと他の同期化信号を、非同期イーサネット信号と組み合わせて、唯一の同期化され統合されたデータストリームを生成し、それを用いて全ての必要とされる信号を搬送し、通信インフラの両方の側にあるローカル発振器を同期化することである。
【課題を解決するための手段】
【０００８】
本発明の一実施例によれば、最初は第１周波数帯域で搬送される第１信号を、各々が第１周波数帯域の無線装置に関連しする複数のエンドポイント装置を有する有線インフラ上で通信する方法であって、
前記複数のエンドポイント装置の内の第１のエンドポイント装置において、
（ａ）前記第１周波数帯域で搬送された第１信号を、有線インフラ上を伝搬する第２周波数帯域搬送される信号に変換するステップと、
（ｂ）前記第１周波数帯域から第２周波数帯域に、また前記第２周波数帯域から前記第１周波数帯域に変換するときにも使用される基準信号をパケット・ストリームに入れ込むステップであって、前記基準信号は、前記パケット・ストリームから再生されるものであるステップと、
（ｃ）前記パケット・ストリームと前記変換された第１信号を、前記有線インフラ上に送出するステップと、
前記複数のエンドポイント装置の第２のエンドポイント装置において、
（ｄ）前記基準信号を、前記パケット・ストリームから再生するステップと、
（ｆ）前記第２周波数帯域を介して搬送された第１信号を、前記第１周波数帯域で搬送される信号に変換するために、前記再生された基準信号を使用するステップと、
を有する、方法が提供される。
【０００９】
本発明の一実施例によれば、前記基準信号は、第１搬送波と第２搬送波に周波数的に関連する。
本発明の一実施例によれば、第１のローカル・オシレータを、前記第１のエンドポイント装置内で、前記第１信号を変換する際に用い、第２のローカル・オシレータを、前記第２のエンドポイント装置内で、前記第１信号を変換するのに用い、前記第１と第２のローカル・オシレータは、前記基準信号で同期している。
本発明の一実施例によれば、前記パケット・ストリームは、同期したイーサネット・ストリームである。
本発明の一実施例によれば、前記第１のビットレートは、受領したイーサネット信号で用いられ、前記第２のビットレートは、前記同期したイーサネット・ストリームで用いられ、前記第２のビットレートは、前記第１のビットレートよりも５％以上高い。
本発明の一実施例によれば、前記パケット・ストリームは、前記第２のエンドポイント装置に搭載された電子回路を管理するデータを含む。
本発明の一実施例によれば、前記パケット・ストリームは、前記第２のエンドポイント装置に搭載された電子回路の同期化信号を含む。
本発明の一実施例によれば、前記第１信号の変換されたレプリカは、前記パケット・ストリームのあるフレーム内に、デジタル形式で含まれる。
本発明の一実施例によれば、前記第１周波数帯域は、ＦＤＭＡ、ＣＤＭＡ、ＴＤＭＡ、ＰＤＭＡの通信方式の内の１つで動作するセルラー周波数帯域である。
【００１０】
本発明の一実施例によれば、前記第１のエンドポイント装置は、携帯電話の基地局又は中継局に関連するハブ・ユニットであり、前記第１信号は、ダウンリンク・セルラー信号であり、前記第２のエンドポイント装置は、携帯電話のエンドユーザの装置とイーサネットの宛先に関連するリモート・ユニットである。
本発明の一実施例によれば、アップリンク信号が、前記リモート・ユニットからハブ・ユニットに、有線インフラを介して送信され、前記アップリンク信号は、アップリンクの周波数帯域を介して送信され、前記アップリンク信号は、
前記リモート・ユニットにおける、
（ｉ）前記基準信号に関連した前記アップリンク周波数帯域を介して搬送された前記アップリンク信号を、前記有線インフラ上を伝搬する、前記基準信号に関連したダウンコンバートされたアップリンク周波数帯域を介して搬送されるようダウンコンバートするステップと、
（ｉｉ）前記ダウンコンバートされたアップリンク信号を、前記有線インフラ上に送出するステップと、
前記ハブ・ユニットにおける、
（ｉｉｉ）前記ダウンコンバートされたアップリンク周波数帯域を介して搬送される前記ダウンコンバートされたアップリンク信号を、前記アップリンク周波数帯域を介して搬送されるようアップコンバートするステップと、
により送信され、
これにより、アップコンバートされたアップリンク信号を、携帯電話の基地局あるいは中継局に提供する。
【００１１】
本発明の一実施例によれば、第１周波数帯域で搬送される第１無線信号をイーサネット・インフラ上で１つ以上のリモート・ユニットに送信するハブ・ユニットであって、前記ハブ・ユニットと各リモート・ユニットは、第１周波数帯域の無線装置に関連している、ハブ・ユニットにおいて、前記第１無線信号は、、 
（ａ）前記第１周波数帯域で搬送された第１信号を、イーサネット・インフラ上を伝搬する第２周波数帯域で搬送される信号に変換する周波数変換装置と、
（ｂ）前記第１周波数帯域と第２周波数帯域に関連する基準信号と、前記第１のエンドポイント装置で受領したイーサネット信号とを１つの同期したイーサネット・ストリームに組み合わせるパケット同期化装置であって、前記基準信号は、前記同期したイーサネット・ストリームから再生可能である、パケット同期化装置と、
を有し、これにより、前記同期したイーサネット・ストリームと前記変換された第１信号がイーサネット・インフラに与えられ、リモート・ユニットに到着したときに、前記基準信号は、前記同期したイーサネット・ストリームから再生され、前記第２周波数帯域を介して搬送される前記変換された第１信号は、前記第１周波数帯域を介して搬送される信号にシフトされ、前記シフトされた第１信号は、前記第１周波数帯域を介して無線で通信される、ハブ・ユニットが提供される。
【００１２】
本発明の一実施例によれば、前記周波数変換装置は、
（ｉ）前記基準信号と同期した信号を生成するローカル・オシレータと、
（ｉｉ）前記第１信号と前記信号を受領し、その和の信号と差の信号を生成するミキサと、
（ｉｉｉ）前記複数の和の信号と差の信号から適宜の信号を選択するフィルタと、
を有する。
本発明の一実施例によれば、前記ハブ・ユニットは、携帯電話基地局又は中継局と関連し、前記第１信号は、ダウンリンク信号である。
本発明の一実施例によれば、前記同期したイーサネット・ストリームは、同期したイーサネット・ストリームである。
本発明の一実施例によれば、前記同期したイーサネット・ストリームのビットレートは、前記受領したイーサネット信号のビットレートよりも５％以上高い。
本発明の一実施例によれば、前記パケット同期化機は、前記第１信号のレプリカを、デジタルの形式で、前記同期したイーサネット・ストリームのフレーム内に入れる。
【００１３】
本発明の一実施例によれば、イーサネットワイヤリングに関連する通信システムのリモート・ユニットであって、携帯電話のエンドユーザの装置に送信するために、ハブ・ユニットからダウンリンク信号を受領し、前記携帯電話のエンドユーザの装置から受領したアップリンク信号をハブ・ユニットに送るリモート・ユニットにおいて、
前記ハブ・ユニットとリモート・ユニットは、アップリンクとダウンリンクの無線周波数帯域の無線装置に関連し、
前記アップリンク信号は、無線アップリンク周波数帯域を介して最初は送信され、
前記リモート・ユニットは、
（ａ）前記ハブ・ユニットからの同期したイーサネット・ストリームを受領し、前記同期したイーサネット・ストリームのデータレートに関連する周波数の信号をデジタルフェーズロックループに与えるパケット・オープナと、
（ｂ）前記同期したイーサネット・ストリームのデータレートに関連する周波数の信号を受領し、基準信号を抽出するデジタルフェーズロックループと、
（ｃ）前記基準信号で関連付けられた無線アップリンク周波数帯域を介して搬送されるアップリンク信号を、前記イーサネットワイヤリング上を伝搬できる、前記基準信号で関連付けられたダウンコンバートされたアップリンク周波数帯域で搬送される信号に変換する周波数変換セクションと、
を有し、
それによって、前記ダウンコンバートされたアップリンク信号は、前記イーサネットワイヤリングに送られ、
前記ハブ・ユニットに到達した時に、前記ダウンコンバートされたアップリンク信号は、前記ダウンコンバートされたアップリンク周波数帯域を介して搬送される信号から、前記アップリンクの周波数帯域を介して搬送される信号に、アップコンバートされ、無線装置に提供される、リモート・ユニットが提供される。
【００１４】
本発明の一実施例によれば、前記ハブ・ユニットは、同期したイーサネット・ストリームを与え、前記リモート・ユニットは、更に、
（ｉ）イーサネット・パケット・リビルダであって、
（Ａ）前記パケット・オープナから、前記同期したイーサネット・ストリームのコンテンツを受領し、
（Ｂ）イーサネットの宛先に送信するために、前記コンテンツの少なくとも一部を有する非同期のイーサネット信号を生成する、
ためのイーサネット・パケット・リビルダと、
（ｉｉ）パケット同期化機であって、
（Ｉ）イーサネットソースから非同期のイーサネット信号を受領し、
（ＩＩ）前記非同期のイーサネット信号のコンテンツの少なくとも一部を有する同期したイーサネット・ストリームを生成する、
ためのパケット同期化機と、
を含む。
本発明の一実施例によれば、前記パケット同期化機は、
（Ｉ）他の装置にサービスするデータと、前記リモート・ユニットにある電子回路の状態と動作条件に対する指示と、前記ハブ・ユニットからリモート・ユニットへ送信される制御コマンドと、同期ソースからの同期化データとからなる後記データアイテム群から選択されたデータアイテムを受領し、
（ＩＩ）生成された同期したイーサネット・ストリーム内に、前記受領したデータアイテムを含める、
ように適合されている。
【図面の簡単な説明】
【００１５】
【図１】イーサネットワイヤリングを介して、無線信号を送信する従来システムのブロック図。
【図２】イーサネットワイヤリングを介して、同期したイーサネット・ストリームに埋め込まれた基準信号を送信するブロック図。
【図３】イーサネットと無線システムを組み合わせたブロック図。
【図４ａ】１パケット当たり８ビットの非同期イーサネット・信号を表す図。
【図４ｂ】１パケット当たり１０ビットの同期イーサネット・ストリームを表す図。
【図５】デジタル化された無線周波数（ＲＦ）フォーマットで、無線信号の一部を搬送する埋め込まれたデジタル信号を有する同期イーサネット・ストリームのブロック図。
【図６】アップリンクとダウンリンクの両方向に、同期したイーサネット・ストリームと無線信号を通信するハブ・ユニットとリモート・ユニットのブロック図。
【図７】ハブ・ユニットのパケット・オーガナイザのブロック図。
【図８】リモート・ユニットのパケット・オーガナイザのブロック図。
【図９】イーサネットワイヤリングを用いて、携帯電話信号を通信する方法のフローチャート図。
【発明を実施するための形態】
【００１６】
図２において、本発明のシステム２００は、無線信号をハブ・ユニット２０１の無線ポート２３５と、リモート・ユニット２０５の無線ポート２４０との間で送受信する。ハブ・ユニット２０１とリモート・ユニット２０５は、電気的ワイヤリング２３０で接続されている。ワイヤリング２３０は、複数の対の銅線のワイヤからなるケーブルであり、それらの一部あるいは全てがイーサネット信号を搬送する。図２では、ＲＦシフトされた信号は、イーサネット・ケーブルであるワイヤリング２３０の専用ワイヤ２１４を介して送信される。しかしＲＦシフトされた信号は、イーサネット信号を搬送するワイヤ対２３２の１つを介して転送することもできる。
【００１７】
ハブ・ユニット２０１は、ミキサ２０２と、帯域通過フィルタ２０４と、ローカル発振器２０６と、クロック７１４と、同期化コンバータ（asynchronous to synchronous converter ）２１２とを含む。それらは図に示したように接続されている。リモート・ユニット２０５は、ミキサ２２０と、帯域通過フィルタ２２２と、ローカル発振器２２４と、基準信号抽出器２２６と、非同期化コンバータ（synchronous to asynchronous converter ）２２８とを含み、それらも図に示したように接続されている。
【００１８】
クロック７１４は、ローカル発振器２０６用の基準信号であり、同期化コンバータ２１２において、イーサネット・パケットを同期化する。
【００１９】
ハブ・ユニット２０１からリモート・ユニット２０５方向への非同期のイーサネット信号は、ハブ・ユニット２０１にポート２０３から入る。同期化コンバータ２１２は、非同期のイーサネット信号を同期したイーサネット信号に変換する。この同期したイーサネット信号は、クロック７１４により同期されている。
【００２０】
基準信号抽出器２２６は、非同期イーサネット信号から基準信号を抽出するのに用いられるが、これはデジタル位相ロックループ（ＰＬＬ）を用いて行われる。抽出された基準信号は、ローカル発振器２２４に対する基準信号として用いられる。例えば周波数同期化装置は、基準信号でローカル発振器２２４の周波数を同期させる。ローカル発振器２０６と２２４の基準信号は、同一のソースから得られたために、この２つのローカル発振器２０６，２２４の周波数は、同一である。
【００２１】
リモート・ユニット２０５にあるローカル発振器２２４は、周波数Ｆ5の信号を生成するが、これは基準信号抽出器２２６から到着した基準信号を利用している。ミキサ２２０は、Ｆ3の信号をＦ6の信号をアップコンバートする。ミキサ２２０の帯域通過フィルタ２２２は、Ｆ6＝Ｆ5−Ｆ3を選択する。基準信号抽出器２２６の出力点における基準信号の周波数は、クロック信号の周波数と同一であるために、ローカル発振器２２４と２０６は、同一の周波数に同期されている。その結果、Ｆ6は、Ｆ1の正確なレプリカとなる。即ちＦ1の各信号は、Ｆ6バンドの元の周波数に正確に戻される。同一の原理が複数のリモート・ユニットにも適用される。更に同一の原理を用いて、Ｆ1は複数の周波数帯域を表し、Ｆ3とＦ6も又複数の周波数帯域を表すこともできる。同期化コンバータ２１２と非同期化コンバータ２２８と基準信号抽出器２２６は、ＦＰＧＡ（field programmable gate array）又はＡＳＩＣ（application apecific integrated circuit）を用いて実現できる。
【００２２】
本発明によるイーサネットと無線通信システムの組合せを概観する為に、図３を参照する。同図において、ハブ・ユニット５１０とリモート・ユニット５２０は、携帯電話信号とＷＬＡＮアクセス・ポイント５１３とをサービスする。ハブ・ユニット５１０は、一方でＲＦリンク５５０とイーサネット・リンク５５５に、他方で複数のリモート・ユニット５２０，５２１，５２２に接続される。ＲＦリンク５５０の一例は、携帯電話の基地局である。イーサネット・リンクの一例は、ＩＮＴＥＲＮＥＴに接続されたモデムである。各リモート・ユニット５２０，５２１，５２２は、ＲＦリンク５６０とイーサネット・リンク５６５に接続される。リモート・ユニット５２０は、ＷＬＡＮ・ＡＰ（アクセス・ポイント）５１３に接続されるか又はそれを有する。このＷＬＡＮアクセス・ポイント５１３はイーサネット・リモート・セクション３８０に内部で接続される。ＷＬＡＮアクセス・ポイント５１３は、ＷＬＡＮサービスを提供する。ＷＬＡＮに使用できる技術代表的な技術は、ＩＥＥＥ８０２．１１標準に基づくＷｉ−Ｆｉと、ＩＥＥＥ８０２．１５標準に基づくＢＬＵＥＴＯＯＴＨ（商標）である。
【００２３】
ハブ・ユニット５１０において、イーサーネット・ハブ／交換機５０２は、イーサネット・リンク５５５にリンクされ、イーサネット・ハブ・セクション３６０にイーサネット・リンク５６５向けのイーサネット信号、又はＷＬＡＮ・ＡＰ（アクセス・ポイント）５１３向けの当てのイーサネット信号を与える。イーサーネット・ハブ／交換機５０２は、基準信号をＲＦハブ部４１０に与える。ＲＦハブ部４１０は、ＲＦリンク５５０からＲＦ信号を得る。ＲＦハブ部４１０は、このＲＦ信号をダウンコンバートし、イーサネットワイヤリング上を伝搬できる信号を生成する。イーサネット・ハブ・セクション３６０は、基準信号をイーサネット信号内に埋め込み、それが分離器／混合器５０６を介してワイヤリング２３０に、ＲＦハブ部４１０により提供されたダウンコンバートされたＲＦ信号と共に与えられる。分離器／混合器５０６と５１２は、必要とされる無線とイーサネット信号の周波数帯域のフィルタを有する。
【００２４】
リモート・ユニット５２０において、分離器／混合器５１２は、同期したイーサネット信号をダウンコンバートされたＲＦ信号から分離し、この同期したイーサネット信号とダウンコンバートされたＲＦ信号を、イーサネット・リモート・セクション３８０とＲＦリモート・ユニット４２０にそれぞれ送る。イーサネット・リモート・セクション３８０は、同期したイーサネット信号から基準信号を抽出し、この基準信号をＲＦリモート・ユニット４２０に与え、このＲＦ信号をアップコンバートし、それをＲＦリンク５６０に送られる。
【００２５】
図４ａにおいて、イーサネット・リンク５５５とイーサネット・リンク５６５のイーサネット信号は、非同期のイーサネット・パケット６００である。非同期のイーサネット・パケット６００は、送信側で決定された任意の到着時間に到着し、通信標準の所定の範囲以内の様々な信号長さを有する。イーサネット・ハブ・セクション３６０とイーサネット・リモート・セクション３８０は、非同期モードで受信したイーサネット信号を、同期イーサネット・ストリームに変換する。この同期イーサネット・ストリーム内に、基準信号は、追加のデータと管理信号と他の同期信号と共に、含まれる。更なるコンテンツを入れるために、ビットレートが増加する。
図４ａにおいては、非同期イーサネット信号のパケット６２０内に８ビットがあり、図４ｂにおいては、同期イーサネット・ストリーム６０２の全長のパケット６２５は、１０ビットを含む。後者は前者よりも２５％密度が上がっている。
【００２６】
図５の実施例においては、ＲＦ信号の変換されたレプリカは、同期したイーサネット・ストリームにデジタル化形態で埋め込まれる。同期イーサネット・ストリーム６０２は、等長パケット６３０の連続したストリームであり、パケット・データ６０６と同期化信号６０４に加えて、デジタル化されたＲＦ信号６０８を搬送する。
【００２７】
同期イーサネット・ストリーム６０２のパケットレート即ちビットレートは、基準信号として用いることができ、ローカル発振器２０６と２２４の周波数と合理的な関係を有する。例えば１０ＭＨｚの基準信号のクロック７１４を用いると仮定する。この基準信号は、基準信号として周波数合成装置に与えられる。この周波数合成装置がこの信号を用いてローカル発振器２０６の信号を生成する。ローカル発振器２０６の周波数が７５５ＭＨｚであることが必要な場合を考える。この場合、周波数合成装置は、１０ＭＨｚの基準信号を１０で割り算して、１ＭＨｚの信号を生成し、それに７５５をかけ算して、７５５ＭＨｚの信号を生成する。同期化コンバータ２１２はこの１０ＭＨｚの基準信号を用いて、１秒当たり１０メガパケットの同期したイーサネット・ストリームを生成する。
基準信号抽出器２２６は、１０ＭＨｚの基準信号を、１秒当たり１０メガパケットのデータストリームから抽出する。その後１０ＭＨｚの信号は、基準信号として周波数合成装置に送られる。この周波数合成装置が、それを用いてローカル発振器２２４の信号を生成する。この場合、周波数合成装置は、１０ＭＨｚの基準信号を１０で割り算して、１ＭＨｚの信号を生成し、それに７５５で掛け算して、７５５ＭＨｚの信号を生成する。
【００２８】
無線セルラー通信において、完全な二重化機能（full duplex capability）は、第１の周波数帯域と第２の周波数帯域を用いて得られる。第１の周波数帯域は、基地局からエンドユーザの装置へのダウンリンク信号であり、第２の周波数帯域は、エンドユーザ装置からの基地局へのアップリンク信号である。
図６は、本発明による完全な二重化機能を実現するシステム６４５を示す。以下の説明では、ダウンリンク伝送を最初に、アップリンク伝送を次に説明する。
【００２９】
ダウンリンク・セルラー信号（携帯電話基地局５５１又は携帯電話中継器５５２に接続されたＲＦリンク５５０からの信号）は、ハブ・ユニット５１０が受領し、それがミキサ２０４Ｄで、ローカル発振器２０６Ｄからの混合用信号と混合される。ローカル発振器２０６Ｄは、基準信号を、ハブ・ユニットのパケット・オルガナイザ６５０内のクロックから得る。ミキサ２０４Ｄからの信号は、フィルタ２０２Ｄに与えられる。フィルタ２０２Ｄが、所定のダウンコンバートされた周波数帯域を選択し、ワイヤリング２３０を介して伝送する。ハブユニット・パケット・オルガナイザ６５０は、イーサネット・リンク５５５からイーサネット信号と、リンク６６５からの追加データと、リンク６７５から他の同期化信号とを受領する。これらの信号は、全て結合され、基準信号と同期して１つの統一された同期イーサネット・ストリームを生成する。
【００３０】
この同期したイーサネット・ストリームとダウンコンバートされたダウンリンク・セルラー信号は、分離器／混合器５０６内で組み合わされて、イーサネットワイヤリング２３０を介して送信される。
リモート・ユニット５２０内で、同期したイーサネット・ストリームは、分離器／混合器５１２で分離され、リモート・ユニットのパケット・オルガナイザ６６０内に送られる。そこで、同期したイーサネット・ストリームは分解され、各イーサネット・リンク５６５とデータ・リンク６７０と他の同期化リンク６８０が、それぞれの信号を受領する。 基準信号は、同期したイーサネット・ストリームから抽出され、ローカル発振器２２４Ｄに入れられ、このローカル発振器２２４Ｄが、混合信号をミキサ２２０Ｄに与える。そこで、それは分離器／混合器５１２から到着したダウンコンバートされたダウンリンク・セルラー信号と混合される。
最後に、帯域通過フィルタ２２２Ｄが、ミキサ５１２の出力から所定のダウンリンク帯域を選択し、それをＲＦリンク５６０に与え、そしてエンドユーザ携帯電話装置５６１に送信される。
【００３１】
アップリンクセルラー信号は、エンドユーザ携帯電話装置５６１により生成され、ＲＦリンク５６０を介してリモート・ユニット５２０が受領する。リモート・ユニット５２０内では、ミキサ２２０Ｕが、アップリンクセルラー信号とローカル発振器２２４Ｕで提供された混合用の信号とを混合する。ローカル発振器２２４Ｕは、パケット・オルガナイザ６６０によりハブ・ユニット５１０から到達した同期したイーサネット・ストリームから抽出された基準信号を受領する。ミキサ２２０Ｕからの信号は、帯域通過フィルタ２２２Ｕに供給される。この帯域通過フィルタ２２２Ｕは、所定のダウンコンバートされた信号を選択するが、これは、イーサネットバンドルであるワイヤリング２３０を介して伝搬するのに適したものである。
パケット・オルガナイザ６６０は、イーサネット・リンク５６５からのイーサネット信号と、データ・リンク６７０からの追加データと、同期化リンク６８０からの追加同期化信号とを受領する。これらの信号は、全て組み合わされて、唯一の同期したイーサネット・ストリームに結合されるが、これは、ダウンリンクの同期したイーサネット・ストリームから抽出された基準信号と同期が採れている。
【００３２】
同期したイーサネット・ストリームとダウンコンバートされたアップリンクセルラー信号は、分離器／混合器５１２内で結合されて、イーサネットバンドルであるワイヤリング２３０を介してハブ・ユニット５１０に送られる。
ハブ・ユニット５１０において、同期したイーサネット・ストリームは、分離器／混合器５０６により分離され、パケット・オルガナイザ６５０に与えられる。そこで同期したイーサネット・ストリームが分解され、各イーサネット・リンク５５５とリンク６６５とリンク６７５が、それぞれの信号を受領する。
パケット・オルガナイザ６５０内のクロックは、ローカル発振器２０６Ｕに与えられる。このローカル発振器２０６Ｕは、混合信号をミキサ２０４Ｕに与える。そこで分離器／混合器５０６から到着したダウンコンバートされたアップリンクセルラー信号と混合される。
最後にフィルタ２０２Ｕが、所定のアップコンバートされた周波数帯域を２０４Ｕの出力から選択し、それをＲＦリンク５５０に与え、携帯電話基地局５５１又は携帯電話中継器５５２に送られる。
【００３３】
追加的なデータ・リンク６７０の使用の一例は、ＷＬＡＮアクセス・ポイント５１３にサービスすることである。このＷＬＡＮアクセス・ポイント５１３は、ハブ・ユニット５１０から送られたデータを受領し、このデータをハブ・ユニット５１０に戻す。
他のＲＦリンク５６０の使用例は、ＴＤＤ増幅器の切替である。このＴＤＤ増幅器は、アップリンク操作状態とダウンリンク操作状態を切り替えるのに必要とされる。同時に追加的データは、リモート・ユニットの電子回路の状態と動作条件を示す。更なる追加的データと同期化信号は、ハブ・ユニット５１０とリモート・ユニット５２０の間で送受信される同期したイーサネット・ストリーム内に組み込まれる。
【００３４】
図７はリモート・ユニットのパケット・オルガナイザ６５０の内部構造を、図８はハブ・ユニットのパケット・オルガナイザ６６０の内部構造を示す。そしてそのパケット・オルガナイザの機能を図６を参照して説明する。
図７のパケット・オルガナイザ６５０内において、非同期イーサネット・パケット７０２は、イーサネット・パケット・バッファ７０８に与えられる。パケット同期化装置７１０は、適宜の時間にイーサネット・パケット・バッファ７０８からパケットを取り出し、それらを同期イーサネット・パケット・ストリーム６０２に挿入する。
追加データ７０４と他の同期化信号７０６は、パケット同期化装置７１０に与えられる。パケット同期化装置７１０は、イーサネット・パケット７０２と追加データ７０４と同期化信号７０６とを、統合された同期イーサネット・ストリーム６０２にする。そのストリームは、同期したデータ構造であり、イーサネット・パケット６００又７０２のビットレートよりも高いビットレートを有する等時間のパケットの連続ストリームからなる。
クロック７１４は、基準信号７１６をパケット同期化装置７１０に与え、かくしてイーサネット・ストリーム６０２がクロック７１４と同期する。単一の統合した同期イーサネット・ストリーム６０２が、分離器／混合器５０６に与えられ、その後リモート・ユニット５２０にワイヤリング２３０を介して送信される。基準信号であるクロック信号７１６は、ハブ・ユニットのローカル発振器２０６Ｕと２０６Ｄで使用される。
【００３５】
同期イーサネット・ストリーム７２８は、リモート・ユニット５２０から分離器／混合器５０６を介して到着し、パケット・オープナ７２６に与えられる。このパケット・オープナ７２６は、クロック７１４からの基準信号７１６を受領し、同期イーサネット・ストリーム７２８のパターン上での同期化プロセスをアシストする。パケット・オープナ７２６は、同期イーサネット・ストリーム７２８から、高速のイーサネット・パケット７２９と追加データ７２２と同期化信号７２４とを取り出す。イーサネット・パケット・リビルダ７１８は、高速のイーサネット・パケット７２９を非同期の低速のイーサネット・パケット７２０に変換して、それをイーサネット・リンク５５５に送る。
【００３６】
図８において、リモート・ユニットでは、パケット・オルガナイザ６６０とハブ・ユニット５１０から分離器／混合器５１２を介して到着した同期イーサネット・ストリーム７１２をパケット・オープナ８２２に与える。パケット・オープナ８２２は、同期イーサネット・ストリーム７１２からの繰り返しパターンを取り出し、それをデジタルＰＬＬ８１８に与える。更にパケット・オープナ８２２は、イーサネット・データ８３０と追加データ８２４と同期化信号８２６とを取り出す。デジタルＰＬＬ８１８は、パケット・オープナ８２２により与えられた同期したイーサネット・ストリームのレートからクロック信号を再生し、残留ジッターをフィルタ除去する。イーサネット・パケット・リビルダ８３２は、イーサネット・データ８３０を低速の非同期イーサネット信号８２８に変換してイーサネット・リンク５６５に送る。
【００３７】
デジタルＰＬＬ８１８で生成された再生クロック信号８１４をパケット・オープナ８２２に与え、パケット・オープナ８２２が、同期イーサネット・ストリーム７１２のパターン上の同期化プロセスをアシストする。
【００３８】
イーサネット非同期パケット８０４はイーサネット・パケット・バッファ８０２に与えられる。パケット同期化装置８１０は、適宜の時にイーサネット・パケット・バッファ８０２からパケットを取り出し、それを新たなパケット・ストリームである同期したイーサネット・ストリーム８１２に与える。追加データ８０６と同期化信号８０８は、パケット同期化装置８１０に与えられる。パケット同期化装置８１０は、イーサネット非同期パケット８０４と追加データ８０６と同期化信号８０８を構成して、同期したイーサネット・ストリーム８１２にする。同期したイーサネット・ストリーム８１２は、同期データ構造から成り、それは元のイーサネット非同期パケット８０４のビットレートよりも高いビットレートを有する等長のパケットの連続ストリームから成る。
デジタルＰＬＬ８１８は、クロック信号８１４を再生する。このクロック信号８１４は、パケット同期化装置８１０に対する同期化信号として用いられ、かくしてイーサネット・ストリーム８１２はクロック７１４と同期する。同期イーサネット・ストリーム８１２は、分離器／混合器５１２に与えられ、その後ハブ・ユニット５１０にワイヤリング２３０を介して与えられる。再生されたクロック信号８１４は、ローカル発振器２２０Ｕと２２２Ｄにより使用され、それぞれアップリンクとダウンリンクのセルラー信号をダウンコンバートする又アップコンバートする。
【００３９】
図９の方法９００を説明する前に、本発明の主な特徴を図２−９の記載に基づいて次に説明する。
（１）全ての必要な「追加的データと、同期化データと、受領したイーサネット信号」を含む同期したイーサネット・ストリームが生成される。ハブ・ユニットとリモート・ユニットは、管理データを交換する。この管理データは、リモート・ユニット内の電子回路の状態と動作条件に付いての指示を含む。このデータは、リモート・ユニットで生成されハブ・ユニットに送られる。管理データは、ハブ・ユニットからリモート・ユニットに送られ、電子回路を制御する。
（２）ハブ・ユニットにおいて、同期したイーサネット・ストリームは、クロック信号により同期化される。このクロック信号は、ハブ・ユニットとリモート・ユニットに対する基準信号から取り出されたものである。
（３）リモート・ユニットにおいて、同期したイーサネット・ストリームは、再生された基準信号により同期化される。
（４）リモート・ユニットにおいて、基準信号は、同期したイーサネット・ストリームから、パケット・オープナとデジタルＰＬＬを用いて再生される。
（５）ハブ・ユニットにおいて、基準信号は周波数合成機用の基準信号として用いられる。この基準信号は、アップコンバーターとダウンコンバーターに与えられ、ダウンリンク信号をダウンコンバートし、アップリンク信号をアップコンバートするのに用いられる。
（６）リモート・ユニットにおいて、再生された基準信号は、周波数合成機用の基準信号として用いられ、それはアップコンバーターとダウンコンバーターに与えられて、アップリンク信号をダウンコンバートし、ダウンリンク信号をアップコンバートする。リモート・ユニットにおける基準信号は、その正確な再構成により、ハブ・ユニットの基準信号の周波数と同一である。その為、ダウンリンクの無線信号は、リモート・ユニットで正確に再生され、アップリンクの無線信号は、ハブ・ユニットで正確に再生される。
（７）他の必要な追加的データ、同期化信号、受領したイーサネット信号はそれぞれのリンクに、その側にあるパケット・オープナにより取り出された後与えられる。
【００４０】
図９にイーサネットワイヤリング上で第１信号を通信する方法９００を示す。
【００４１】
一実施例において、第１のエンドポイント装置は、ハブ・ユニット５１０である。このハブ・ユニット５１０は、携帯電話基地局５５１又は携帯電話中継器５５２に接続されている。第１信号は、ダウンリンク・セルラー信号である。第２のエンドポイント装置は、リモート・ユニット５２０である。このリモート・ユニット５２０は、エンドユーザ携帯電話装置５６１とイーサネット・宛先５６５に関連する。アップリンク信号は、イーサネットワイヤリング上で、リモート・ユニット５２０からハブ・ユニット５１０に通信される。アップリンク信号は、アップリンクの周波数帯域を介して最初は搬送され、リモート・ユニットで、このアップリンク信号は、ダウンコンバートされたアップリンクの周波数帯域に変換され、イーサネットワイヤリング上を伝搬する（９３０）。
アップリンクの周波数帯域とダウンコンバートされたアップリンクの周波数帯域は、イーサネットワイヤリングを介して分配された基準信号に関連する。この基準信号は、ハブ・ユニット５１０からリモート・ユニット５２０に同期したイーサネット・ストリームにより分配される基準信号である。
追加データと他の同期信号が同期したイーサネット・ストリームに埋め込まれる（９３２）。その後、ダウンコンバートされたアップリンク信号は、ハブ・ユニット５１０にイーサネットワイヤリングで与えられる（９３５）。ダウンコンバートされたアップリンク信号は、アップリンクの周波数帯域にアップコンバートされ（９４０）、携帯電話基地局５５１又は携帯電話中継器５５２に結合される。ハブ・ユニットからの同期したイーサネット・ストリームのコンテンツが、取り出されハブ側の宛先に分配される（９４５）。
【００４２】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００４３】
１０４ ミキサ
１０６ ローカル発振器
１０８ 帯域通過フィルタ
１０９ 銅線
１１２ ミキサ
１１４ ローカル発振器
１１８ 帯域通過フィルタ
１２０ 基準信号発生器
１２２ ケーブル
２００ システム
２０１ ハブ・ユニット
２０２ ミキサ
２０３ ポート
２０４ 帯域通過フィルタ
２０５ リモート・ユニット
２０６ ローカル発振器
２１２ 同期化コンバータ
２１４ 専用ワイヤ
２２０ ミキサ
２２２ 帯域通過フィルタ
２２４ ローカル発振器
２２６ 基準信号抽出器
２２８ 非同期化コンバータ
２３０ ワイヤリング
２３２ ワイヤ対
２３５ 無線ポート
２４０ 無線ポート
５０２ イーサネット交換機
３６０ イーサネット・ハブ・セクション
３８０ イーサネット・リモート・セクション
４１０ ＲＦセクション
４２０ ＲＦセクション
５０６，５１２ 分離器／混合器
５１０ ハブ・ユニット
５１３ ＷＬＡＮアクセス・ポイント
５２０，５２１，５２２ リモート・ユニット
５５０ ＲＦリンク
５５１ 携帯電話基地局
５５２ 携帯電話中継器
５５５ イーサネット・リンク
５６０ ＲＦリンク
５６１ エンドユーザ装置
５６５ イーサネット・リンク
６００ 非同期のイーサネット・パケット
６０２ 同期したイーサネット・ストリーム
６０４ 同期化信号
６０６ パケット・データ
６０８ デジタル化されたＲＦ
６２０ パケット
６２５ パケット
６３０ 等長パケット
６５０ パケット・オルガナイザ
６６０ パケット・オルガナイザ
６６５，６７０ 追加データ・リンク
６７５，６７５ 他の同期リンク
６７０ データ・リンク
６８０ 同期化リンク
７０２ 非同期イーサネット・パケット
７０４ 追加データ
７０６ 同期化信号
７０８ イーサネット・パケット・バッファ
７１０ パケット同期化装置
７１２ 同期イーサネット・ストリーム
７１４ クロック
７１６ 基準信号
７１８ イーサネット・パケット・リビルダ
７２２ 
７２４ 同期化信号
７２６ パケット・オープナ
７２８ 同期イーサネット・ストリーム
７２９ イーサネット高データレート・パケット
８０２ イーサネット・パケット・バッファ
８０４ イーサネット非同期パケット
８０６ 追加データ
８０８ 同期化信号
８１０ パケット同期化装置
８１２ 同期イーサネット・ストリーム
８１８ デジタルＰＬＬ
８２２ パケット・オープナ
８２４ 追加データ
８２６ 同期化信号
８２８ イーサネット信号
８３０ イーサネット・データ
８３２ イーサネット・パケット・リビルダ
図９
９００：携帯電話信号をイーサネット・インフラを用いて通信する方法
９０５：ダウンリンク信号をダウンコンバートする
９１０：基準信号と追加信号と他の同期化信号をイーサネット・ストリームに入れ込む
９１５：イーサネット・ストリームとダウンリンク信号をイーサネット・インフラに提供する
９２０：基準信号を取り出す
９２５：ダウンリンク信号をアップコンバートして、イーサネットの宛先に与える
９２７：イーサネット・ストリームのコンテンツを取り出し分配する
９３０：アップリンク信号をダウンコンバートする
９３２：追加信号と他の同期化信号をイーサネット・ストリームに入れ込む
９３５：アップリンク信号とイーサネット・ストリームをイーサネット・インフラに提供する
９４０：アップリンク信号をアップコンバートして、宛先に送信する
９４５：イーサネット・ストリームのコンテンツを取り出し宛先に分配する
【図１】
0005649588.tif 000002
【図２】
0005649588.tif 000003
【図３】
0005649588.tif 000004
【図４ａ】
0005649588.tif 000005
【図４ｂ】
0005649588.tif 000006
【図５】
0005649588.tif 000007
【図６】
0005649588.tif 000008
【図７】
0005649588.tif 000009
【図８】
0005649588.tif 000010
【図９】
0005649588.tif 000011